(57)【要約】      （修正有）【課題】作業効率の向上と繰返し使用よるコストダウンができるワイヤロープを使った足場の鋼製布板横ずれ防止金具を提供する。【解決手段】外力が加わらない場合は建枠の横架材１０に巻付く円形状となる形状記憶被膜ワイヤロープの片方の先端に形状記憶被膜ワイヤロープのワイヤロープ部分２と全ネジボルト５とナット４をジョイント金具７で接続し、もう一方の先端に形状記憶被膜ワイヤロープのワイヤロープ部分２とコッタボルト６をジョイント金具７で接続し、中央部分が建枠の横架材１０の円形をした平鋼板３で、両端が水平で一方の平鋼板面には全ネジボルト５を通す穴があって、その穴に全ネジボルト５を通し平鋼板３を抜けた方からナット４を締め、もう一方の平鋼板面にはコッタボルト６のボルトが通る切込みが長辺側から平鋼板３の中央に向かって曲がりＬ字に切込みとなっている。【選択図】図１
0003191147.tif 000002
【実用新案登録請求の範囲】
【請求項１】
外力が加わらない場合は建枠の横架材に巻付く円形状となる形状記憶被膜ワイヤロープの片方の先端に形状記憶被膜ワイヤロープのワイヤロープと全ネジボルトとナットをジョイント金具で接続し、もう一方の先端に形状記憶被膜ワイヤロープのワイヤロープとコッタボルトをジョイント金具で接続し、中央部分が建枠の横架材の円形をした平鋼板で、両端が水平で一方の平鋼板面には全ネジボルトを通す穴があって、その穴に全ネジボルトを通し平鋼板を抜けた方からナットを締め、もう一方の平鋼板面にはコッタボルトのボルトが通る切込みが長辺側から平鋼板の中央に向かって曲がりＬ字に切込みとなっている形状を特徴とするワイヤロープを使った足場の鋼製布板横ずれ防止金具。
【考案の詳細な説明】
【技術分野】
【０００１】本考案は足場の鋼製布板横ずれ防止金具に関するものである。
【背景技術】
【０００２】従来の仮設足場の作業床の床材間の隙間は労働安全衛生規則で３ｃｍ以下にする様に決められているが、建枠の作業床に最初２枚の鋼製布板の隙間を３ｃｍ以下に敷いていても作業床で作業を行うと、大勢の人が作業床を動きまわる事により徐々に鋼製布板が横ずれして隙間が３ｃｍ以上になってしまっていた。
【先行技術文献】
【非特許文献】
【０００３】
【非特許文献１】二藤レール株式会社  なまし番線、加工番線
【考案の概要】
【考案が解決しようとする課題】
【０００４】従来は次のような欠点があった。鋼製布板がずれないように隣り合う鋼製布板のつめ金具を番線で縛って固定して鋼製布板の横ずれを防止していたが、その作業を行うには番線を切断し鋼製布板のつめ金具の隙間に番線を通して番線を締める必要があったが、それは手作業となり作業能率が悪く、番線も使い捨てとなっていた。本考案は、以上のような従来の欠点を鑑み、ワイヤロープを使った足場の鋼製布板横ずれ防止金具を提供して作業効率の向上と繰返し使用できる事によるコストダウンを目的としている。
【課題を解決するための手段】
【０００５】    上記目的を達成するために、本考案は、外力が加わらない場合は建枠の横架材に巻付く円形状となる形状記憶被膜ワイヤロープの片方の先端に形状記憶被膜ワイヤロープのワイヤロープと全ネジボルトとナットをジョイント金具で接続し、もう一方の先端に形状記憶被膜ワイヤロープのワイヤロープとコッタボルトをジョイント金具で接続し、中央部分が建枠の横架材の円形をした平鋼板で、両端が水平で一方の平鋼板面には全ネジボルトを通す穴があって、その穴に全ネジボルトを通し平鋼板を抜けた方からナットを締め、もう一方の平鋼板面にはコッタボルトのボルトが通る切込みが長辺側から平鋼板の中央に向かって曲がりＬ字に切込みとなっている。このためワイヤロープを使った鋼製布板横ずれ防止金具を鋼製布板のつめ金具の横に設置して、コッタボルトを平鋼板の横から差込み、移動してコッタボルトのコッタ部分が抜けないようにして、もう一方の全ネジボルトのナットを締め付けることにより形状記憶被膜ワイヤロープと平鋼材が建枠の横架材を締め付けて鋼製布板のつめ金具が鋼製布板横ずれ防止金具に当たって鋼製布板をずれないようする機能を有するワイヤロープを使った足場の鋼製布板横ずれ防止金具を構成している。
【考案の効果】
【０００６】以上の説明から明らかなように、本考案にあっては次に列挙する効果が得られる。（１）    締付部材に形状記憶被膜ワイヤロープと鋼板を採用した事により、金具の軽量化になっている。（２）番線を切断し鋼製布板のつめ金具の隙間を通して番線を締める熟練工による手作業がなくなり、ワイヤロープを使った足場の鋼製布板横ずれ防止金具を鋼製布板横のつめ金具の横に設置してナットを電動工具で締付けて鋼製布板の横ずれを阻止するので経験の浅い作業員でも作業効率が上がる。（３）ナットでワイヤロープを使った足場の鋼製布板横ずれ防止金具の着脱が出来るので、番線のように現場での加工が不要で使い捨てもなく繰返し使用できる。
【図面の簡単な説明】
【０００７】
【図１】はワイヤロープを使った鋼製布板横ずれ防止金具を建枠の横架材に締め付けた時の平面図
【図２】は［図１］をイーイ方向から見て、建枠の横架材を締付ける平鋼板部分の番号８の穴に全ネジボルトとナット、番号９の切り込みにコッタボルトが入った時の見下げ図
【図３】は建枠の横架材を締付ける平鋼板の平面図
【図４】は建枠の横架材を締付ける平鋼板を横からみた図
【図５】はワイヤロープを使った鋼製布板横ずれ防止金具の建枠の横架材に締め付ける平鋼板をはずした時の平面図
【図６】は［図５］をローロ方向からみた図
【図７】は［図５］をハーハ方向からみた図
【図８】は形状記憶被膜ワイヤロープの被膜部分を取りワイヤロープを露出させた場合の図
【考案を実施するための形態】
【０００８】以下、本考案の実施の形態を図に基づいて説明する。
【実施例１】
【０００９】図１は、ワイヤロープを使った鋼製布板横ずれ防止金具を建枠の横架材に締め付けた時の平面図である。
【実施例２】
【００１０】    図５は、ワイヤロープを使った鋼製布板横ずれ防止金具の建枠の横架材に締め付ける平鋼板をはずした時の平面図で平鋼板をコッタボルトの方に回転してコッタボルトのボルト部分を平鋼板のＬ字切込みに沿って入れてコッタ部分が平鋼板から抜けないようにしてから、全ネジボルト側のナットを締め付けると形状記憶被膜ワイヤロープと平鋼材が建枠の横架材を締め付けて鋼製布板のつめ金具が鋼製布板横ずれ防止金具に当たって鋼製布板をずれないようする。
【符号の説明】
【００１１】１  建枠の横架材を締付ける形状記憶被膜ワイヤロープの被膜部分２  建枠の横架材を締付ける形状記憶被膜ワイヤロープのワイヤロープ部分３  建枠の横架材を締付ける平鋼板４  ナット５  全ネジボルト６  コッタボルト７  各ボルトとワイヤロープのジョイント金具８  全ネジボルトを通す穴９  コッタボルトを平鋼板の横から差込み、移動してコッタボルトのコッタ部分が抜けないようにする切込み１０  建枠の横架材（一点鎖線部、本考案対象外）
【図１】
0003191147.tif 000003
【図２】
0003191147.tif 000004
【図３】
0003191147.tif 000005
【図４】
0003191147.tif 000006
【図５】
0003191147.tif 000007
【図６】
0003191147.tif 000008
【図７】
0003191147.tif 000009
【手続補正書】
【提出日】平成26年3月22日(2014.3.22)
【手続補正１】
【補正対象書類名】明細書
【補正対象項目名】０００７
【補正方法】変更
【補正の内容】
【０００７】
【図１】はワイヤロープを使った鋼製布板横ずれ防止金具を建枠の横架材に締め付けた時の平面図
【図２】は［図１］をイーイ方向から見て、建枠の横架材を締付ける平鋼板部分の番号８の穴に全ネジボルトとナット、番号９の切り込みにコッタボルトが入った時の見下げ図
【図３】は建枠の横架材を締付ける平鋼板の平面図
【図４】は建枠の横架材を締付ける平鋼板を横からみた図
【図５】はワイヤロープを使った鋼製布板横ずれ防止金具の建枠の横架材に締め付ける平鋼板をはずした時の平面図
【図６】は［図５］をローロ方向からみた図
【図７】は［図５］をハーハ方向からみた図